(57)【特許請求の範囲】
【請求項１】
上位放送局から伝送される前記上位放送局用の番組案内情報を受信し、受信した番組案内情報から自局用の番組案内情報を生成して送出する番組案内情報送出装置であって、
前記上位放送局が放送中の番組及び次に放送する番組と自局が放送中の番組及び次に放送する番組とを比較する比較手段と、
前記比較手段で比較した結果に基づき、前記上位放送局用の番組案内情報の一部を前記自局用の番組案内情報に差し替え、前記上位放送局用の番組案内情報又は前記自局用の番組案内情報を送出する送出手段と
を備えることを特徴とする番組案内情報送出装置。
【請求項２】
前記送出手段は、前記比較手段で比較した結果が不一致を示すとき、前記上位放送局用の番組案内情報の一部を前記自局用の番組案内情報に差し替える差し替え手段と、
前記比較手段で比較した結果が一致を示すときに前記上位放送局用の番組案内情報を選択し、前記比較手段で比較した結果が不一致を示すときに前記自局用の番組案内情報を選択する選択手段と
を備えることを特徴とする請求項１記載の番組案内情報送出装置。
【請求項３】
前記比較手段は、番組開始時刻，番組長に応じて前記上位放送局が放送中の番組及び次に放送する番組と自局が放送中の番組及び次に放送する番組とを比較することを特徴とする請求項１又は２記載の番組案内情報送出装置。
【請求項４】
前記番組案内情報は、放送中の番組及び次に放送する番組に関する情報であることを特徴とする請求項１乃至３何れか一項記載の番組案内情報送出装置。
【請求項５】
１つ以上の放送局が階層的に配置されており、上位放送局から１つ以上の下位放送局に番組案内情報を伝送する番組案内情報伝送システムであって、
前記上位放送局は、上位放送局用の番組案内情報を生成する番組案内情報生成手段と、生成した番組案内情報を下位放送局に伝送する番組案内情報伝送手段とを備え、
前記下位放送局は、前記上位放送局が放送中の番組及び次に放送する番組と自局が放送中の番組及び次に放送する番組とを比較する比較手段と、前記比較手段で比較した結果に基づき、前記上位放送局用の番組案内情報の一部を前記自局用の番組案内情報に差し替え、前記上位放送局用の番組案内情報又は前記自局用の番組案内情報を送出する送出手段とを備える
ことを特徴とする番組案内情報伝送システム。
【請求項６】
前記送出手段は、前記比較手段で比較した結果が不一致を示すとき、前記上位放送局用の番組案内情報の一部を前記自局用の番組案内情報に差し替える差し替え手段と、
前記比較手段で比較した結果が一致を示すときに前記上位放送局用の番組案内情報を選択し、前記比較手段で比較した結果が不一致を示すときに前記自局用の番組案内情報を選択する選択手段と
を備えることを特徴とする請求項５記載の番組案内情報伝送システム。
【請求項７】
前記比較手段は、番組開始時刻，番組長に応じて前記上位放送局が放送中の番組及び次に放送する番組と自局が放送中の番組及び次に放送する番組とを比較することを特徴とする請求項５又は６記載の番組案内情報伝送システム。
【請求項８】
前記番組案内情報は、放送中の番組及び次に放送する番組に関する情報であることを特徴とする請求項５乃至７何れか一項記載の番組案内情報伝送システム。
【発明の詳細な説明】
【０００１】
【発明の属する技術分野】
本発明は、番組案内情報送出装置及び番組案内情報伝送システムに係り、特に上位放送局用の番組案内情報から自局用の番組案内情報を生成して送出する番組案内情報送出装置及び番組案内情報伝送システムに関する。
【０００２】
【従来の技術】
例えば、映像・音声等の番組と共に番組案内情報を提供する放送サービスとして、ＤＶＢ／ＳＩ規格（EST 468 Digital Broadcasting systems for television, sound and data service; Specification for Service Information in Digital Video Broadcasting Systems(1988-2)）及びＡＲＩＢ（社団法人  電波産業会）規格「ARIB STD-B10;平成１１年５月２７日１．３版策定」で規格化されたものが知られている。この番組案内情報は、ＭＰＥＧ２−Ｓｙｓｔｅｍｓ（ITU-T H.222.0、ISO/IEC13818-1）で規定されるトランスポートストリームパケット（以下、ＴＳパケットという）で伝送される。
【０００３】
近年、デジタル放送を実施する１つ以上の放送局を階層的に配置し、映像・音声等の番組と番組案内情報とを上位放送局から下位放送局に提供する放送局ネットワークの構築が検討されている。
【０００４】
図１５は、放送局ネットワークの一例の構成図を示す。図１５の放送局ネットワークでは、上位のＡ局１０１の配下に中位のＢ局１０２及びＢ２局１０３が配置されている。また、中位のＢ局１０２の配下に下位のＣ局１０４，Ｃ２局１０５及びＣ３局１０６が配置されている。同様に、中位のＢ２局１０３の配下に下位のＣ４局１０７，Ｃ５局１０８及びＣ６局１０９が配置されている。
【０００５】
上位のＡ局１０１は、映像・音声等の番組をＢ局１０２及びＢ２局１０３に配信する。中位のＢ局１０２は、Ａ局１０１から配信された映像・音声等の番組を下位のＣ局１０４，Ｃ２局１０５及びＣ３局１０６に配信する。同様に、中位のＢ２局１０３は、上位のＡ局１０１から配信された映像・音声等の番組を下位のＣ４局１０７，Ｃ５局１０８及びＣ６局１０９に配信する。
【０００６】
以下、説明の容易の為に、上位のＡ局１０１の配下に中位のＢ局１０２が配置され、中位のＢ局１０２の配下に下位のＣ局１０４が配置された放送局ネットワークについて説明する。
【０００７】
図１６は、放送局ネットワークの詳細について説明する一例の構成図を示す。図１６において、Ａ局１０１，Ｂ局１０２及びＣ局１０４に接続される番組編成情報管理システム１１０は、放送局ネットワーク内の全放送局の番組送出枠・送出内容や番組案内情報の元になる番組編成情報を、放送局ネットワーク内の全放送局が利用できるように管理している。
【０００８】
Ａ局１０１，Ｂ局１０２及びＣ局１０４は同一の構成であり、映像信号及び音声信号を受けて符号化等を行い、映像・音声の番組をＴＳパケット化して出力するエンコーダ１１１と、番組編成情報をテキスト形式で受信し、番組編成情報から生成した番組案内情報をセクション形式で出力する番組案内情報生成装置１１２と、セクション形式の番組案内情報を受信し、受信したセクション形式の番組案内情報をＴＳパケット化して出力する番組案内情報送出装置１１３と、多重化装置１１４と、多重化装置１１４の出力を制御する送出制御装置１１５とを備えるように構成される。
【０００９】
なお、セクションとは、番組配列情報（Service Information：ＳＩ）をＴＳにマッピングする為に使用されるシンタックス構造である。番組選択の利便性のために規定された各種情報が郵政省令で定義され、内容はＡＲＩＢで規格化されている。
【００１０】
Ａ局１０１の多重化装置１１４は、エンコーダ１１１の出力と番組案内情報送出装置１１３の出力とを多重化して放送エリアへ送出すると共に、Ｂ局１０２への伝送路１１６に送出する。Ｂ局１０２の多重化装置１１４は、エンコーダ１１１の出力，番組案内情報送出装置１１３の出力及び上位の放送局１０１からの情報を多重化して放送エリアへ送出すると共に、Ｃ局１０４への伝送路１１７に送出する。Ｃ局１０４の多重化装置１１４は、エンコーダ１１１の出力，番組案内情報送出装置１１３の出力及び中位の放送局１０２からの情報を多重化して放送エリアへ送出する。
【００１１】
以上の構成において、放送局１０１，１０２，１０４が映像・音声の番組及び番組案内情報を送出する場合について説明する。Ａ局１０１は、映像・音声の番組（▲１▼）及び図１７（ａ）のような番組案内情報（１）を放送エリア及びＢ局１０２に送出する。
【００１２】
Ｂ局１０２は、Ａ局１０１から受信した映像・音声の番組（▲１▼）と自局で生成した映像・音声の番組（▲２▼）との何れかを選択して放送エリア及びＣ局１０４に送出する。また、Ｂ局１０２は、番組編成情報管理システム１１０から自局が使用できる時間帯及びＡ局１０１と同様の番組編成情報を取得し、取得した番組編成情報の自局が使用できる時間帯に自局用の番組案内情報を組み込んだ図１７（ｂ）のような番組案内情報（２）を放送エリア及びＣ局１０４に送出する。
【００１３】
Ｃ局１０４は、Ｂ局１０２から受信した映像・音声の番組（▲１▼），映像・音声の番組（▲２▼）及び自局で生成した映像・音声の番組（▲３▼）の何れかを選択して放送エリアに送出する。また、Ｃ局１０４は、番組編成情報管理システム１１０から自局が使用できる時間帯及びＢ局１０２と同様の番組編成情報を取得し、取得した番組編成情報の自局が使用できる時間帯に自局用の番組案内情報を組み込んだ図１７（ｃ）のような番組案内情報（３）を放送エリアに送出する。
【００１４】
図１８は、放送局ネットワークの詳細について説明する他の一例の構成図を示す。図１８の放送ネットワークは、Ｂ局１０２及びＣ局１０４がデコーダ１２０を備える点で図１６の放送ネットワークと異なる。
【００１５】
Ｂ局１０２のデコーダ１２０は、ＴＳパケット化されたＡ局用の番組案内情報（１）を受信する。デコーダ１２０は受信したＡ局用の番組案内情報（１）をデコードし、セクション形式の番組案内情報（１）を番組案内情報生成装置１１２に供給する。番組案内情報生成装置１１２は、供給されたセクション形式の番組案内情報（１）と、自局で生成したセクション形式の番組案内情報（２）とを合成してＢ局用の番組案内情報｛（１）＋（２）｝を作成している。
【００１６】
また、Ｃ局１０４のデコーダ１２０は、ＴＳパケット化されたＢ局用の番組案内情報｛（１）＋（２）｝を受信する。デコーダ１２０は受信したＢ局用の番組案内情報｛（１）＋（２）｝をデコードし、セクション形式の番組案内情報｛（１）＋（２）｝を番組案内情報生成装置１１２に供給する。番組案内情報生成装置１１２は、供給された番組案内情報｛（１）＋（２）｝と、自局で生成したセクション形式の番組案内情報（３）とを合成してＣ局用の番組案内情報｛（１）＋（２）＋（３）｝を作成している。
【００１７】
図１８のように、上位放送局で生成された番組案内情報と下位放送局で生成した番組案内情報とを合成する方法として、例えば特願２０００−３１２０９６号があった。
【００１８】
【発明が解決しようとする課題】
図１６の放送局ネットワークでは、全ての放送局が番組編成情報管理システム１１０から番組編成情報を取得して自局用の番組案内情報を生成する。したがって、全ての放送局は同規模の番組案内情報生成装置１１２及び番組案内情報送出装置１１３が必要となる。
【００１９】
また、Ｂ局１０２及びＣ局１０４は、上位のＡ局１０１から配信される番組を送出している場合であっても番組案内情報を自局から送出する必要がある為、設備の高い信頼性が要求される。さらに、上位のＡ局１０１で生じた急な番組編成情報の変更に追従する為、Ｂ局１０２及びＣ局１０４の番組案内情報生成装置１１２は高速な処理が要求される。
【００２０】
したがって、図１６の放送局ネットワークでは、設備規模が大きくなるという問題があった。
【００２１】
一方、図１８の放送局ネットワークのように、上位放送局で生成された番組案内情報と下位放送局で生成した番組案内情報とを合成する場合、以下のような問題がある。
【００２２】
番組案内情報は、ＥＩＴ〔schedule〕及びＥＩＴ〔present/following〕を含むように構成される。ここで、ＥＩＴ〔schedule〕とは、放送局から送出される番組のスケジュールを表すものである。また、ＥＩＴ〔present/following〕とは、放送局から現在送出されている番組と次に送出される番組とを表すものである。
【００２３】
ＥＩＴ〔schedule〕は、所定時間（例えば、３時間等）毎のセグメント構造を持つ為、所定時間の中に一つでも下位放送局が放送する番組があるとセグメント単位で生成し直す必要がある。したがって、下位放送局が放送する番組が全てのセグメントにある場合、ＥＩＴ〔schedule〕を全て生成し直さなければならず、リアルタイムに処理することが困難となる。
【００２４】
また、上位放送局で生成された番組案内情報と下位放送局で生成した番組案内情報とを合成する特願２０００−３１２０９６号の方法は、上位放送局から送出される番組案内情報のうち下位放送局で差し替える箇所を、上位放送局が明示する必要があった。
【００２５】
さらに、上位放送局から送出される番組案内情報の一部を差し替える場合、ＥＩＴ〔present/following〕のVersion_numberが重複しないようにする必要があった。
【００２６】
本発明は、上記の点に鑑みなされたもので、下位の放送局の設備規模を縮小することができ、番組案内情報サービスを適切に実施することが可能な番組案内情報送出装置及び番組案内情報伝送システムを提供することを目的とする。
【００２７】
【課題を解決するための手段】
そこで、上記課題を解決するため、本発明は、上位放送局から伝送される前記上位放送局用の番組案内情報を受信し、受信した番組案内情報から自局用の番組案内情報を生成して送出する番組案内情報送出装置であって、前記上位放送局が放送中の番組及び次に放送する番組と自局が放送中の番組及び次に放送する番組とを比較する比較手段と、前記比較手段で比較した結果に基づき、前記上位放送局用の番組案内情報の一部を前記自局用の番組案内情報に差し替え、前記上位放送局用の番組案内情報又は前記自局用の番組案内情報を送出する送出手段とを備えることを特徴とする。
【００２８】
また、本発明は、１つ以上の放送局が階層的に配置されており、上位放送局から１つ以上の下位放送局に番組案内情報を伝送する番組案内情報伝送システムであって、前記上位放送局は、上位放送局用の番組案内情報を生成する番組案内情報生成手段と、生成した番組案内情報を下位放送局に伝送する番組案内情報伝送手段とを備え、前記下位放送局は、前記上位放送局が放送中の番組及び次に放送する番組と自局が放送中の番組及び次に放送する番組とを比較する比較手段と、前記比較手段で比較した結果に基づき、前記上位放送局用の番組案内情報の一部を前記自局用の番組案内情報に差し替え、前記上位放送局用の番組案内情報又は前記自局用の番組案内情報を送出する送出手段とを備えることを特徴とする。
【００２９】
本発明では、上位放送局が放送中の番組及び次に放送する番組と下位放送局が放送中の番組及び次に放送する番組とを比較することで、上位放送局から送出される番組案内情報を下位放送局用の番組案内情報として、そのまま送出できるか否かを判定している。
【００３０】
上位放送局から送出される番組案内情報を下位放送局用の番組案内情報として送出すれば、下位放送局で番組案内情報を加工又は生成する必要がなくなり、高い信頼性を保つことができる。また、上位放送局から送出される番組案内情報を下位放送局用の番組案内情報として送出している間は、上位放送局の番組案内情報に変更があっても下位放送局で番組案内情報を加工する必要がなく、リアルタイムに番組案内情報を送出することができる。
【００３１】
一方、上位放送局から送出される番組案内情報を下位放送局用の番組案内情報としてそのまま送出することができなければ、番組案内情報の一部を下位放送局用の番組案内情報に差し替えて下位放送局用の番組案内情報として送出する。したがって、下位放送局では上位放送局から送出された番組案内情報の一部を下位放送局用の番組案内情報に差し替える為の設備を設ければよく、設備規模を縮小することができる。
【００３２】
【発明の実施の形態】
次に、本発明の実施の形態について図面に基づいて説明する。なお、本実施例では、番組案内情報をＥＩＴ〔schedule〕とＥＩＴ〔present/following〕とに分けて説明する。
【００３３】
図１は、本発明の番組案内情報伝送システムの一実施例の構成図を示す。図１の番組案内情報伝送システムは、Ａ局１の配下にＢ局２が配置され、Ｂ局２の配下にＣ局３が配置された放送局ネットワークを構成する。
【００３４】
放送局ネットワークの上位放送局であるＡ局１は、エンコーダ１１と、番組案内情報生成装置１２と、Ａ局ＥＩＴ〔schedule〕送出装置１３と、Ｂ局ＥＩＴ〔schedule〕送出装置１４と、Ｃ局ＥＩＴ〔schedule〕送出装置１５と、ＥＩＴ〔present/following〕送出装置１６と、多重化装置１７と、ＴＳパケットフィルタリング装置１８とを備えるように構成される。
【００３５】
エンコーダ１１は映像信号及び音声信号を受けて符号化等を行い、ＴＳパケット化された映像・音声の番組（▲１▼）を出力する。番組案内情報生成装置１２は、放送局ネットワーク内のＡ局１，Ｂ局２及びＣ局３の番組送出枠・送出内容や番組案内情報の元になる番組編成情報をテキスト形式で受信し、受信した番組編成情報から生成したＡ局用のＥＩＴ〔schedule〕，Ｂ局用のＥＩＴ〔schedule〕，Ｃ局用のＥＩＴ〔schedule〕及びＡ局用のＥＩＴ〔present/following〕をセクション形式で出力する。
【００３６】
例えばＡ局１，Ｂ局２及びＣ局３から送出される映像・音声の番組として図２（ａ）〜図２（ｃ）のような番組編成情報が設定されている場合、番組案内情報生成装置１２は図３（ａ）のようなＡ局用のＥＩＴ〔schedule〕，図３（ｂ）のようなＢ局用のＥＩＴ〔schedule〕，図３（ｃ）のようなＣ局用のＥＩＴ〔schedule〕及び図４（ａ）のようなＡ局用のＥＩＴ〔present/following〕をセクション形式で出力する。
【００３７】
ここで、図２（ｂ）及び図２（ｃ）のネットとは、上位放送局から配信された番組を自局の番組としてそのまま放送エリアに送出する時間帯を表す。例えば図２（ｂ）は、Ｂ局２がＡ局１から配信された番組「ドラマ（Ａ局発）」，「プロ野球（Ａ局発）」，「映画（Ａ局発）」及び「ニュース（Ａ局発）」を自局の番組としてそのまま放送エリアに送出することを表している。
【００３８】
また、ＥＩＴ〔schedule〕とは、放送局から送出される番組のスケジュールを表す。例えば図３（ｂ）は、Ｂ局２から送出される番組の順番が「ドラマ（Ａ局発）」，「プロ野球（Ａ局発）」，「ブロックニュース（Ｂ局発）」，「ローカルニュース（Ｂ局発）」，「映画（Ａ局発）」及び「ニュース（Ａ局発）」であることを表している。
【００３９】
また、ＥＩＴ〔present/following〕とは、放送局から現在送出されている番組と次に送出される番組とを表すものである。例えば図４（ｂ）は、Ｂ局２から番組「ドラマ（Ａ局発）」が送出されている場合、次に送出される番組が「プロ野球（Ａ局発）」であることを表している。このＥＩＴ〔present/following〕は、ＶＴＲ等の録画制御に使用されるものであり、番組編成情報の変更にリアルタイムに追従する必要がある。
【００４０】
Ａ局ＥＩＴ〔schedule〕送出装置１３はＡ局用のＥＩＴ〔schedule〕をセクション形式で受信し、受信したＡ局用のＥＩＴ〔schedule〕をＴＳパケット化して多重化装置１７に出力する。Ｂ局ＥＩＴ〔schedule〕送出装置１４はＢ局用のＥＩＴ〔schedule〕をセクション形式で受信し、受信したＢ局用のＥＩＴ〔schedule〕をＴＳパケット化して多重化装置１７に出力する。
【００４１】
また、Ｃ局ＥＩＴ〔schedule〕送出装置１５はＣ局用のＥＩＴ〔schedule〕をセクション形式で受信し、受信したＣ局用のＥＩＴ〔schedule〕をＴＳパケット化して多重化装置１７に出力する。ＥＩＴ〔present/following〕送出装置１６は、Ａ局用のＥＩＴ〔present/following〕をセクション形式で受信し、受信したＡ局用のＥＩＴ〔present/following〕をＴＳパケット化して多重化装置１７に出力する。
【００４２】
Ａ局ＥＩＴ〔schedule〕送出装置１３，Ｂ局ＥＩＴ〔schedule〕送出装置１４，Ｃ局ＥＩＴ〔schedule〕送出装置１５及びＥＩＴ〔present/following〕送出装置１６から出力されるＴＳパケットは、夫々異なるＰＩＤが付与されている。
【００４３】
多重化装置１７は、エンコーダ１１から受信した映像・音声の番組（▲１▼），Ａ局ＥＩＴ〔schedule〕送出装置１３から受信したＥＩＴ〔schedule〕（１），Ｂ局ＥＩＴ〔schedule〕送出装置１４から受信したＥＩＴ〔schedule〕（２），Ｃ局ＥＩＴ〔schedule〕送出装置１５から受信したＥＩＴ〔schedule〕（３）及びＥＩＴ〔present/following〕送出装置１６から受信したＥＩＴ〔present/following〕（４）を多重してＴＳパケットフィルタリング装置１８及びＢ局２への伝送路２０に送出する。
【００４４】
ＴＳパケットフィルタリング装置１８は、受信したＴＳパケットのＰＩＤに基づきＡ局用の映像・音声の番組（▲１▼），Ａ局用のＥＩＴ〔schedule〕（１）及びＡ局用のＥＩＴ〔present/following〕（４）を選択し、選択したＡ局用の映像・音声の番組（▲１▼），Ａ局用のＥＩＴ〔schedule〕（１）及びＡ局用のＥＩＴ〔present/following〕（４）を放送エリアに出力する。
【００４５】
放送局ネットワークの中位放送局であるＢ局２は、エンコーダ２１と、ＴＳパケット分離部２２と、ＥＩＴ〔present/following〕差し替え送出装置２３と、多重化装置２４と、迂回切替スイッチ２５と、ＴＳパケットフィルタリング装置２６と、送出制御装置２７とを備えるように構成される。
【００４６】
エンコーダ２１は映像信号及び音声信号を受けて符号化等を行い、ＴＳパケット化された映像・音声の番組（▲２▼）を出力する。ＴＳパケット分離部２２は、受信したＴＳパケットのＰＩＤに基づき映像・音声の番組（▲１▼），ＥＩＴ〔schedule〕（１），ＥＩＴ〔schedule〕（２），ＥＩＴ〔schedule〕（３）と、ＥＩＴ〔present/following〕（４）とを分離する。
【００４７】
ＴＳパケット分離部２２は、映像・音声の番組（▲１▼），ＥＩＴ〔schedule〕（１），ＥＩＴ〔schedule〕（２），ＥＩＴ〔schedule〕（３）を多重化装置２４に出力する一方、ＥＩＴ〔present/following〕（４）をＥＩＴ〔present/following〕差し替え送出装置２３に出力する。
【００４８】
ＥＩＴ〔present/following〕差し替え送出装置２３は、図４（ａ）のようなＥＩＴ〔present/following〕（４）のうちＢ局発の番組に対応する部分を差し替えて図４（ｂ）のようなＥＩＴ〔present/following〕（５）を生成する。なお、ＥＩＴ〔present/following〕差し替え送出装置２３で行われる処理の詳細は、後述する。
【００４９】
ＥＩＴ〔present/following〕差し替え送出装置２３は、生成したＥＩＴ〔present/following〕（５）をＴＳパケット化して多重化装置２４に出力する。なお、ＥＩＴ〔present/following〕差し替え送出装置２３から出力されるＴＳパケットは、Ａ局ＥＩＴ〔schedule〕送出装置１３，Ｂ局ＥＩＴ〔schedule〕送出装置１４，Ｃ局ＥＩＴ〔schedule〕送出装置１５及びＥＩＴ〔present/following〕送出装置１６から出力されるＴＳパケットと異なるＰＩＤが付与されている。
【００５０】
多重化装置２４は、エンコーダ２１から受信した映像・音声の番組（▲２▼）又はＴＳパケット分離部２２から受信した映像・音声の番組（▲１▼）のうち何れか一方と，ＴＳパケット分離部２２から受信したＥＩＴ〔schedule〕（１），ＥＩＴ〔schedule〕（２），ＥＩＴ〔schedule〕（３）及びＥＩＴ〔present/following〕差し替え送出装置２３から受信したＥＩＴ〔present/following〕（５）を多重して迂回スイッチ２５及びＣ局３への伝送路２８に送出する。
【００５１】
迂回切替スイッチ２５は、Ｂ局発の番組の時刻がＡ局用のＥＩＴ〔present/following〕に全く関係の無い時間帯（例えば、図４（ｂ）のＡ，Ｅに対応する時間帯）であれば、伝送路２０から受信した映像・音声の番組（▲１▼），ＥＩＴ〔schedule〕（１），ＥＩＴ〔schedule〕（２），ＥＩＴ〔schedule〕（３），ＥＩＴ〔present/following〕（４）をそのままＴＳパケットフィルタリング装置２６に出力する。
【００５２】
一方、迂回切替スイッチ２５は、Ｂ局発の番組の時刻がＡ局用のＥＩＴ〔present/following〕に関係のある時間帯（例えば、図４（ｂ）のＢ〜Ｄに対応する時間帯）であれば、多重化装置２４の出力をＴＳパケットフィルタリング装置２６に出力する。
【００５３】
ＴＳパケットフィルタリング装置２６は、受信したＴＳパケットのＰＩＤに基づきＡ局用の映像・音声の番組（▲１▼），Ｂ局用の映像・音声の番組（▲２▼），Ｂ局用のＥＩＴ〔schedule〕（２），Ａ局用のＥＩＴ〔present/following〕（４）及びＢ局用のＥＩＴ〔present/following〕（５）を選択し、選択したＡ局用の映像・音声の番組（▲１▼），Ｂ局用の映像・音声の番組（▲２▼），Ｂ局用のＥＩＴ〔schedule〕（２），Ａ局用のＥＩＴ〔present/following〕（４）及びＢ局用のＥＩＴ〔present/following〕（５）を放送エリアに出力する。
【００５４】
送出制御装置２７は番組編成情報管理システム４からテキスト形式の送出制御データを受信し、受信した送出制御データに基づきＥＩＴ〔present/following〕差し替え送出装置２３及び多重化装置２４の処理を制御する。
【００５５】
なお、Ｂ局２では、送出制御装置２７を利用してＢ局２の番組送出枠・送出内容や番組案内情報の元になる番組編成情報を番組編成情報管理システム４に登録する。すると、Ａ局１の番組案内情報生成装置１２は、Ｂ局２の番組送出枠・送出内容や番組案内情報の元になる番組編成情報をテキスト形式で受信し、ＥＩＴ〔present/following〕（４）からＥＩＴ〔present/following〕（５）を生成する為に必要な情報をセクション形式で生成する。
【００５６】
例えば番組案内情報生成装置１２は、番組「ブロックニュース（Ｂ局発）」，「ローカルニュース（Ｂ局発）」に対応するセクション形式の情報（以下、セクションデータという）を生成する。Ａ局１の番組案内情報生成装置１２は、生成したセクションデータをＥＩＴ〔present/following〕差し替え送出装置２３に送出している。したがって、番組編成情報管理システム４は、Ｂ局発の番組のセクションデータのみＢ局２に送出すればよい為、セクションデータの伝送量を削減することができる。
【００５７】
放送局ネットワークの下位放送局であるＣ局３は、エンコーダ２９と、ＴＳパケット分離部３０と、ＥＩＴ〔present/following〕差し替え送出装置３１と、多重化装置３２と、迂回切替スイッチ３３と、ＴＳパケットフィルタリング装置３４と、送出制御装置３５とを備えるように構成される。
【００５８】
エンコーダ２９は映像信号及び音声信号を受けて符号化等を行い、ＴＳパケット化された映像・音声の番組（▲３▼）を出力する。ＴＳパケット分離部３０は、受信したＴＳパケットのＰＩＤに基づき映像・音声の番組（▲１▼），映像・音声の番組（▲２▼），ＥＩＴ〔schedule〕（１），ＥＩＴ〔schedule〕（２），ＥＩＴ〔schedule〕（３）と、ＥＩＴ〔present/following〕（５）とを分離する。
【００５９】
ＴＳパケット分離部３０は、映像・音声の番組（▲１▼），映像・音声の番組（▲２▼），ＥＩＴ〔schedule〕（１），ＥＩＴ〔schedule〕（２），ＥＩＴ〔schedule〕（３）を多重化装置３２に出力する一方、ＥＩＴ〔present/following〕（５）をＥＩＴ〔present/following〕差し替え送出装置３１に出力する。
【００６０】
ＥＩＴ〔present/following〕差し替え送出装置３１は、図４（ｂ）のようなＥＩＴ〔present/following〕（５）のうちＣ局発の番組に対応する部分を差し替えて図４（ｃ）のようなＥＩＴ〔present/following〕（６）を生成する。なお、ＥＩＴ〔present/following〕差し替え送出装置３１で行われる処理の詳細は、後述する。
【００６１】
ＥＩＴ〔present/following〕差し替え送出装置３１は、生成したＥＩＴ〔present/following〕（６）をＴＳパケット化して多重化装置３２に出力する。なお、ＥＩＴ〔present/following〕差し替え送出装置３１から出力されるＴＳパケットは、Ａ局ＥＩＴ〔schedule〕送出装置１３，Ｂ局ＥＩＴ〔schedule〕送出装置１４，Ｃ局ＥＩＴ〔schedule〕送出装置１５，ＥＩＴ〔present/following〕送出装置１６，ＥＩＴ〔present/following〕差し替え送出装置２３から出力されるＴＳパケットと異なるＰＩＤが付与されている。
【００６２】
多重化装置３２は、エンコーダ２９から受信した映像・音声の番組（▲３▼），ＴＳパケット分離部３０から受信した映像・音声の番組（▲１▼）及び映像・音声の番組（▲２▼）のうち何れかと，ＴＳパケット分離部３０から受信したＥＩＴ〔schedule〕（１），ＥＩＴ〔schedule〕（２），ＥＩＴ〔schedule〕（３）及びＥＩＴ〔present/following〕差し替え送出装置３１から受信したＥＩＴ〔present/following〕（６）を多重して迂回スイッチ３３に送出する。
【００６３】
迂回切替スイッチ３３は、Ｃ局発の番組の時刻がＢ局用のＥＩＴ〔present/following〕に全く関係の無い時間帯（例えば、図４（ｃ）のＡ，Ｂ及びＥに対応する時間帯）であれば、伝送路２８から受信した映像・音声の番組（▲１▼），映像・音声の番組（▲２▼），ＥＩＴ〔schedule〕（１），ＥＩＴ〔schedule〕（２），ＥＩＴ〔schedule〕（３），ＥＩＴ〔present/following〕（５）をそのままＴＳパケットフィルタリング装置３４に出力する。
【００６４】
一方、迂回切替スイッチ３３は、Ｃ局発の番組の時刻がＢ局用のＥＩＴ〔present/following〕に関係のある時間帯（例えば、図４（ｃ）のＣ，Ｄに対応する時間帯）であれば、多重化装置３２の出力をＴＳパケットフィルタリング装置３４に出力する。
【００６５】
ＴＳパケットフィルタリング装置３４は、受信したＴＳパケットのＰＩＤに基づきＡ局用の映像・音声の番組（▲１▼），Ｂ局用の映像・音声の番組（▲２▼），Ｃ局用の映像・音声の番組（▲３▼），Ｃ局用のＥＩＴ〔schedule〕（３），Ｂ局用のＥＩＴ〔present/following〕（５）及びＣ局用のＥＩＴ〔present/following〕（６）を選択し、選択したＡ局用の映像・音声の番組（▲１▼），Ｂ局用の映像・音声の番組（▲２▼），Ｃ局用の映像・音声の番組（▲３▼），Ｃ局用のＥＩＴ〔schedule〕（３），Ｂ局用のＥＩＴ〔present/following〕（５）及びＣ局用のＥＩＴ〔present/following〕（６）を放送エリアに出力する。
【００６６】
送出制御装置３５は番組編成情報管理システム４からテキスト形式の送出制御データを受信し、受信した送出制御データに基づきＥＩＴ〔present/following〕差し替え送出装置３１及び多重化装置３２の処理を制御する。
【００６７】
なお、Ｃ局３では、送出制御装置３５を利用してＣ局３の番組送出枠・送出内容や番組案内情報の元になる番組編成情報を番組編成情報管理システム４に登録する。すると、Ａ局１の番組案内情報生成装置１２は、Ｃ局３の番組送出枠・送出内容や番組案内情報の元になる番組編成情報をテキスト形式で受信し、ＥＩＴ〔present/following〕（５）からＥＩＴ〔present/following〕（６）を生成する為に必要な番組「ローカルニュース（Ｃ局発）」のセクションデータを生成する。Ａ局１の番組案内情報生成装置１２は、生成したセクションデータをＥＩＴ〔present/following〕差し替え送出装置３１に送出する。
【００６８】
図５は、ＥＩＴ〔present/following〕差し替え送出装置の一実施例の構成図を示す。なお、図５では、ＥＩＴ〔present/following〕差し替え送出装置の一例としてＢ局２のＥＩＴ〔present/following〕差し替え送出装置２３について説明する。
【００６９】
ＥＩＴ〔present/following〕差し替え送出装置２３は、ＴＳ−Ｓｅｃｔｉｏｎ合成部５１と、切替スイッチ５２と、判定部５３と、差し替え部５４と、Ｓｅｃｔｉｏｎ−ＴＳ分解部５５と、ＥＩＴ〔present/following〕出力部５６と、送出データテーブル５７と、Ｓｅｃｔｉｏｎデータテーブル５８とを備えるように構成される。
【００７０】
ＴＳ−Ｓｅｃｔｉｏｎ合成部５１は、ＴＳパケット分離部２２からＴＳパケット化されたＥＩＴ〔present/following〕（４）を受信し、受信したＥＩＴ〔present/following〕（４）をセクション形式に合成する。ＴＳ−Ｓｅｃｔｉｏｎ合成部５１はセクション形式に合成したＥＩＴ〔present/following〕（４）を判定部５３に出力する。
【００７１】
送出データテーブル５７は送出制御装置２７から送出制御データを受信し、Ｂ局２から現在送出されている番組（以下、ＯＡという）と、次に送出される番組（以下、Ｎｅｘｔという）とをｅｖｅｎｔ＿ｉｄ，ｓｔａｒｔ＿ｔｉｍｅ，ｄｕｒｕｔｉｏｎで管理する。ＯＡが上位放送局としてのＡ局１から配信されている番組（以下、ネット番組という）である場合、ｅｖｅｎｔ＿ｉｄはネット番組を表す所定の値が格納される。
【００７２】
判定部５３は、送出データテーブル５７を参照し、受信したＥＩＴ〔present/following〕のｓｔａｒｔ＿ｔｉｍｅ，ｄｕｒｕｔｉｏｎを差し替える必要があるか否かを後述する処理に基づき判定する。差し替える必要がないと判定すると、判定部５３はセクション形式のＥＩＴ〔present/following〕（４）をＳｅｃｔｉｏｎ−ＴＳ分解部５５に出力する。一方、差し替える必要があると判定すると、判定部５３はセクション形式のＥＩＴ〔present/following〕（４）を差し替え部５４に出力する。
【００７３】
Ｓｅｃｔｉｏｎデータテーブル５８は、Ａ局１の番組案内情報生成装置１２からネット以外の番組のセクションデータを所定日数分（例えば、８日分）受信し、受信したセクションデータをｅｖｅｎｔ＿ｉｄをキー情報として格納している。
【００７４】
差し替え部５４は、送出データテーブル５７のＯＡ及びＮｅｘｔのｅｖｅｎｔ＿ｉｄ，ｓｔａｒｔ＿ｔｉｍｅ，ｄｕｒｕｔｉｏｎに応じて差し替えるべきセクションデータを、Ｓｅｃｔｉｏｎデータテーブル５８からｅｖｅｎｔ＿ｉｄをキー情報として検索する。差し替え部５４は検索したセクションデータに基づき、ＥＩＴ〔present/following〕を後述する処理に基づき差し替える。差し替え部５４で差し替えられたＥＩＴ〔present/following〕は、Ｓｅｃｔｉｏｎ−ＴＳ分解部５５に出力される。
【００７５】
Ｓｅｃｔｉｏｎ−ＴＳ分解部５５は、判定部５３又は差し替え部５４の出力をＴＳパケット化してＥＩＴ〔present/following〕出力部５６に出力する。ＥＩＴ〔present/following〕出力部５６は、ＴＳパケット化されたＥＩＴ〔present/following〕を一定周期毎に送出する。
【００７６】
切替スイッチ５２は、判定部５３の判定に応じてＴＳパケット分離部２２から受信したＥＩＴ〔present/following〕又はＥＩＴ〔present/following〕出力部５６から受信したＥＩＴ〔present/following〕を出力する。具体的には、差し替える必要がないと判定されると、切替スイッチ５２はＴＳパケット分離部２２から受信したＥＩＴ〔present/following〕を出力する。一方、差し替える必要があると判定されると、切替スイッチ５２はＥＩＴ〔present/following〕出力部５６から受信したＥＩＴ〔present/following〕を出力する。
【００７７】
以下、判定部５３で行う処理について図６を参照しつつ詳細に説明する。なお、図６において、上位放送局から受信するＥＩＴ〔present/following〕をネットＥＩＴ〔present/following〕と呼ぶ。また、ＥＩＴ〔present/following〕のうち、ｐｒｅｓｅｎｔを「Ｐ」，Ｆｏｌｌｏｗｉｎｇを「Ｆ」と略称する。
【００７８】
図６に示すように、ＯＡがネット番組で、ＯＡ開始時刻（Ｎ）≦Ｐの開始時刻（ａ）≦Ｆの終了時刻（ｂ＋ｙ）≦ＯＡ終了時刻（Ｎ＋ｎ）の関係がある場合、判定部５３は差し替え無しと判定する。それ以外の関係がある場合、判定部５３は差し替え無しと判定する。
【００７９】
次に、差し替え部５４で行う処理について図７〜図１３を参照しつつ詳細に説明する。なお、図７〜図１３において、上位放送局から受信するＥＩＴ〔present/following〕をネットＥＩＴ〔present/following〕と呼ぶ。また、ＥＩＴ〔present/following〕のうち、ｐｒｅｓｅｎｔを「Ｐ」，Ｆｏｌｌｏｗｉｎｇを「Ｆ」と略称する。
【００８０】
図７に示すように、ＯＡがネット番組で、Ｐの開始時刻（ａ）≦ＯＡ開始時刻（Ｎ）≦Ｐの終了時刻（ａ＋ｘ）、且つＦの終了時刻（ｂ＋ｙ）≦ＯＡ終了時刻（Ｎ＋ｎ）の関係がある場合、差し替え部５４は以下のような処理を行う。
【００８１】
まず、差し替え部５４は、出力するＥＩＴ〔present/following〕のうち、Ｐのｓｔａｒｔ＿ｔｉｍｅをＯＡ開始時刻（Ｎ）に差し替え、Ｐのｄｕｒａｔｉｏｎを（ｘ＋ａ−Ｎ）に差し替え、Ｖｅｒｓｉｏｎ＿ｎｕｍｂｅｒを差し替えると共に、ＣＲＣの再計算を行う。
【００８２】
そして、差し替え部５４は、出力するＥＩＴ〔present/following〕のＦをネットＥＩＴ〔present/following〕のＦとする。したがって、差し替え部５４から出力されるＥＩＴ〔present/following〕は図７（Ｅ）のようになる。
【００８３】
図８に示すように、ＯＡがネット番組で、ＯＡ開始時刻（Ｎ）≦Ｐの開始時刻（ａ）≦Ｆの開始時刻（ｂ）≦ＯＡ終了時刻（Ｎ＋ｎ）≦Ｆの終了時刻（ｂ＋ｙ）の関係がある場合、差し替え部５４は以下のような処理を行う。
【００８４】
まず、差し替え部５４は、出力するＥＩＴ〔present/following〕のＰをネットＥＩＴ〔present/following〕のＰとする。そして、差し替え部５４は、出力するＥＩＴ〔present/following〕のうち、Ｆのｄｕｒａｔｉｏｎを（Ｎ＋ｎ―ｂ）に差し替え、Ｖｅｒｓｉｏｎ＿ｎｕｍｂｅｒを差し替えると共に、ＣＲＣの再計算を行う。したがって、差し替え部５４から出力されるＥＩＴ〔present/following〕は図８（Ｅ）のようになる。
【００８５】
図９に示すように、ＯＡがネット番組で、Ｐの開始時刻（ａ）≦ＯＡ開始時刻（Ｎ）≦Ｆの開始時刻（ｂ）≦ＯＡ終了時刻（Ｎ＋ｎ）の関係がある場合、差し替え部５４は以下のような処理を行う。
【００８６】
まず、差し替え部５４は、出力するＥＩＴ〔present/following〕のうち、Ｐのｓｔａｒｔ＿ｔｉｍｅをＯＡ開始時刻（Ｎ）に差し替え、Ｐのｄｕｒａｔｉｏｎを（ｘ＋ａ−Ｎ）に差し替え、Ｖｅｒｓｉｏｎ＿ｎｕｍｂｅｒを差し替えると共に、ＣＲＣの再計算を行う。
【００８７】
また、差し替え部５４は、出力するＥＩＴ〔present/following〕のうち、Ｆのｄｕｒａｔｉｏｎを（Ｎ＋ｎ―ｂ）に差し替え、Ｖｅｒｓｉｏｎ＿ｎｕｍｂｅｒを差し替えると共に、ＣＲＣの再計算を行う。したがって、差し替え部５４から出力されるＥＩＴ〔present/following〕は図９（Ｅ）のようになる。
【００８８】
図１０に示すように、ＯＡがネット番組且つＮｅｘｔがローカル番組で、ＯＡ開始時刻（Ｎ）≦Ｐの開始時刻（ａ）≦Ｎｅｘｔ開始時刻（α）≦Ｐの終了時刻（ａ＋ｘ）の関係がある場合、差し替え部５４は以下のような処理を行う。
【００８９】
まず、差し替え部５４は、出力するＥＩＴ〔present/following〕のうち、Ｐのｄｕｒａｔｉｏｎを（α−ａ）に差し替え、Ｖｅｒｓｉｏｎ＿ｎｕｍｂｅｒを差し替えると共に、ＣＲＣの再計算を行う。
そして、差し替え部５４は、出力するＥＩＴ〔present/following〕のＦをＮｅｘｔのローカル番組とする。したがって、差し替え部５４から出力されるＥＩＴ〔present/following〕は図１０（Ｅ）のようになる。
【００９０】
図１１に示すように、ＯＡがネット番組且つＮｅｘｔがローカル番組で、Ｐの開始時刻（ａ）≦ＯＡ開始時刻（Ｎ）≦ＯＡ終了時刻（Ｎ＋ｎ）≦Ｐの終了時刻（ａ＋ｘ）の関係がある場合、差し替え部５４は以下のような処理を行う。
【００９１】
まず、差し替え部５４は、出力するＥＩＴ〔present/following〕のうち、Ｐのｓｔａｒｔ＿ｔｉｍｅをＯＡ開始時刻（Ｎ）に差し替え、ｄｕｒａｔｉｏｎをＯＡのｄｕｒａｔｉｏｎ（ｎ）に差し替え、Ｖｅｒｓｉｏｎ＿ｎｕｍｂｅｒを差し替えると共に、ＣＲＣの再計算を行う。
そして、差し替え部５４は、出力するＥＩＴ〔present/following〕のＦをＮｅｘｔのローカル番組とする。したがって、差し替え部５４から出力されるＥＩＴ〔present/following〕は図１１（Ｅ）のようになる。
【００９２】
図１２に示すように、ＯＡがローカル番組且つＮｅｘｔがローカル番組である場合、差し替え部５４は以下のような処理を行う。
【００９３】
まず、差し替え部５４は、出力するＥＩＴ〔present/following〕のＰをＯＡのローカル番組とする。また、差し替え部５４は、出力するＥＩＴ〔present/following〕のＦをＮｅｘｔのローカル番組とする。したがって、差し替え部５４から出力されるＥＩＴ〔present/following〕は図１２（Ｃ）のようになる。
【００９４】
図１３のＡの時間帯のように、ＯＡがローカル番組且つＮｅｘｔがネット番組で、Ｆの終了時刻（ｂ＋ｙ）≦ＯＡ終了時刻（α＋λ）の関係がある場合、差し替え部５４は以下のような処理を行う。
【００９５】
まず、差し替え部５４は、出力するＥＩＴ〔present/following〕のＰをＯＡのローカル番組とすると共に、Ｆを未定とする。そして、差し替え部５４は、Ｖｅｒｓｉｏｎ＿ｎｕｍｂｅｒを差し替えると共に、ＣＲＣの再計算を行う。
【００９６】
Ｂの時間帯のように、ＯＡがローカル番組且つＮｅｘｔがネット番組で、Ｆの開始時刻（ｃ）≦ＯＡ終了時刻（α＋λ）≦Ｆの終了時刻（ｃ＋ｚ）の関係がある場合、差し替え部５４は以下のような処理を行う。
【００９７】
差し替え部５４は、出力するＥＩＴ〔present/following〕のＰをＯＡのローカル番組とすると共に、出力するＥＩＴ〔present/following〕のＦをネットＥＩＴ〔present/following〕のＦに差し替える。さらに、差し替え部５４は、出力するＥＩＴ〔present/following〕のうち、Ｆのｓｔａｒｔ＿ｔｉｍｅをＯＡ終了時刻（α＋λ）に差し替え、ｄｕｒａｔｉｏｎをＯＡの終了時刻（ｃ＋ｚ−α−λ）に差し替え、Ｖｅｒｓｉｏｎ＿ｎｕｍｂｅｒを差し替えると共に、ＣＲＣの再計算を行う。
【００９８】
Ｃの時間帯のように、ＯＡがローカル番組且つＮｅｘｔがネット番組で、Ｐの開始時刻（ｃ）≦ＯＡ終了時刻（α＋λ）≦Ｐの終了時刻（ｃ＋ｚ）の関係がある場合、差し替え部５４は以下のような処理を行う。
【００９９】
差し替え部５４は、出力するＥＩＴ〔present/following〕のＰをＯＡのローカル番組とすると共に、出力するＥＩＴ〔present/following〕のＦをネットＥＩＴ〔present/following〕のＦに差し替える。さらに、差し替え部５４は、出力するＥＩＴ〔present/following〕のうち、Ｆのｓｔａｒｔ＿ｔｉｍｅをＯＡ終了時刻（α＋λ）に差し替え、ｄｕｒａｔｉｏｎをＯＡの終了時刻（ｃ＋ｚ−α−λ）に差し替え、Ｖｅｒｓｉｏｎ＿ｎｕｍｂｅｒを差し替えると共に、ＣＲＣの再計算を行う。したがって、差し替え部５４から出力されるＥＩＴ〔present/following〕は図１３（Ｅ）のようになる。
【０１００】
図１４は、番組案内情報生成装置１２からＥＩＴ〔present/following〕差し替え送出装置２３に伝送されるセクションデータの一例のデータ構造図を示す。番組案内情報生成装置１２は、Ｂ局発の番組に関するｅｖｅｎｔ＿ｉｄ単位のセクションデータを所定日数分、伝送する。
【０１０１】
ＥＩＴ〔present/following〕差し替え送出装置２３は、図１４のセクションデータのうち差し替え可能なｖｅｒｓｉｏｎ＿ｎｕｍｂｅｒ，ｓｅｃｔｉｏｎ＿ｎｕｍｂｅｒ，ｓｔａｒｔ＿ｔｉｍｅ，ｄｕｒａｔｉｏｎを差し替えてＥＩＴ〔present/following〕を再構築する。
【０１０２】
なお、ｓｅｃｔｉｏｎ＿ｎｕｍｂｅｒは、ＥＩＴ〔present/following〕のｐｒｅｓｅｎｔ又はｆｏｌｌｏｗｉｎｇを識別するものである。ｓｔａｒｔ＿ｔｉｍｅは、番組開始時間を表すものである。また、ｄｕｒａｔｉｏｎは番組長を表すものである。
【０１０３】
このとき、ｖｅｒｓｉｏｎ＿ｎｕｍｂｅｒは、上位放送局としてのＡ局１，中位放送局としてのＢ局２及び下位放送局としてのＣ局３で重複しないように予め範囲を設定しておく。例えばｖｅｒｓｉｏｎ＿ｎｕｍｂｅｒが５ビットである場合、Ａ局１の上位２ビットを「００」，Ｂ局２の上位２ビットを「０１」，Ｃ局３の上位２ビットを「１１」の固定とし、下位３ビットの中でインクリメントすることが考えられる。
【０１０４】
【発明の効果】
上述の如く、本発明によれば、下位放送局で番組案内情報を加工又は生成する必要がなくなり、高い信頼性を保つことができる。また、上位放送局から送出される番組案内情報を下位放送局用の番組案内情報として送出している間は、上位放送局の番組案内情報に変更があっても下位放送局で番組案内情報を加工する必要がなく、リアルタイムに番組案内情報を送出することができる。
【０１０５】
また、下位放送局では上位放送局から送出された番組案内情報の一部を下位放送局用の番組案内情報に差し替える為の設備を設ければよく、設備規模を縮小することができる。
【０１０６】
【図面の簡単な説明】
【図１】本発明の番組案内情報伝送システムの一実施例の構成図
【図２】番組編成情報の一例について説明する図である。
【図３】ＥＩＴ〔schedule〕の一例について説明する図である。
【図４】ＥＩＴ〔present/following〕の一例について説明する図である。
【図５】ＥＩＴ〔present/following〕差し替え送出装置の一実施例の構成図である。
【図６】判定部の処理の一例について説明する図である。
【図７】差し替え部の処理の一例について説明する図である。
【図８】差し替え部の処理の一例について説明する図である。
【図９】差し替え部の処理の一例について説明する図である。
【図１０】差し替え部の処理の一例について説明する図である。
【図１１】差し替え部の処理の一例について説明する図である。
【図１２】差し替え部の処理の一例について説明する図である。
【図１３】差し替え部の処理の一例について説明する図である。
【図１４】番組案内情報生成装置からＥＩＴ〔present/following〕差し替え送出装置に伝送されるセクションデータの一例のデータ構造図である。
【図１５】放送局ネットワークの一例の構成図である。
【図１６】放送局ネットワークの詳細について説明する一例の構成図である。
【図１７】番組案内情報の一例について説明する図である。
【図１８】放送局ネットワークの詳細について説明する他の一例の構成図である。
【符号の説明】
１    Ａ局（上位放送局）
２    Ｂ局（中位放送局）
３    Ｃ局（下位放送局）
４    番組編成情報管理システム
１１，２１，２９    エンコーダ
１２    番組案内情報生成装置
１３    Ａ局ＥＩＴ〔schedule〕送出装置
１４    Ｂ局ＥＩＴ〔schedule〕送出装置
１５    Ｃ局ＥＩＴ〔schedule〕送出装置
１６    ＥＩＴ〔present/following〕送出装置
１７，２４，３２    多重化装置
１８，２６，３４    ＴＳパケットフィルタリング装置
１９，２７，３５    送出制御装置
２２，３０    ＴＳパケット分離部
２３，３１    ＥＩＴ〔present/following〕差し替え送出装置
２５，３３    迂回切替スイッチ
５３    判定部
５４    差し替え部
５７    送出データテーブル
５８    ｓｅｃｔｉｏｎデータテーブル
【図１】
0003712636.tif 000002
【図２】
0003712636.tif 000003
【図３】
0003712636.tif 000004
【図４】
0003712636.tif 000005
【図５】
0003712636.tif 000006
【図６】
0003712636.tif 000007
【図７】
0003712636.tif 000008
【図８】
0003712636.tif 000009
【図９】
0003712636.tif 000010
【図１０】
0003712636.tif 000011
【図１１】
0003712636.tif 000012
【図１２】
0003712636.tif 000013
【図１３】
0003712636.tif 000014
【図１４】
0003712636.tif 000015
【図１５】
0003712636.tif 000016
【図１６】
0003712636.tif 000017
【図１７】
0003712636.tif 000018
【図１８】
0003712636.tif 000019